(57)【特許請求の範囲】
【請求項１】
装着者の利き手を受け入れ可能な第１手袋（１Ｂ）と、
装着者の他方の手を受け入れ可能な第２手袋（１Ａ）との双方を備え、
前記第１手袋（１Ｂ）と前記第２手袋（１Ａ）とが非対称とされ、
前記第１手袋（１Ｂ）は、前記利き手の掌に当接する第１手掌部（３Ｂ）と、前記利き手の甲に当接する第１手甲部（２Ｂ）とを含み、
前記第２手袋（１Ａ）は、前記他方の手の掌に当接する第２手掌部（３Ａ）と、前記他方の手の甲に当接する第２手甲部とを含み、
前記第１手掌部（３Ｂ）の少なくとも一部は、前記第２手掌部（３Ａ）の対応する部分より薄くされた手掌部薄肉部を有する、ゴルフ用手袋。
【請求項２】
装着者の利き手を受け入れ可能な第１手袋（１Ｂ）と、
装着者の他方の手を受け入れ可能な第２手袋（１Ａ）との双方を備え、
前記第１手袋（１Ｂ）と前記第２手袋（１Ａ）とが非対称とされ、
前記第１手袋（１Ｂ）は、前記利き手の掌に当接する第１手掌部（３Ｂ）と、前記利き手の甲に当接する第１手甲部（２Ｂ）と、第１手掌部（３Ｂ）および第１手甲部（２Ｂ）によって規定され、前記利き手の親指、人差指、中指、薬指および小指の各指をそれぞれ受け入れる第１親指部（１０Ｂ）、第１人差指部（２０Ｂ）、第１中指部（３０Ｂ）、第１薬指部（４０Ｂ）および第１小指部（５０Ｂ）を含み、
前記第２手袋（１Ａ）は、前記他方の手の掌に当接する第２手掌部（３Ａ）と、前記他方の手の甲に当接する第２手甲部（２Ａ）と、前記第２手掌部（３Ａ）および第２手甲部（２Ａ）によって規定され、前記他方の手の親指、人差指、中指、薬指および小指の各指をそれぞれ受け入れる第２親指部（１０Ａ）、第２人差指部（２０Ａ）、第２中指部（３０Ａ）、第２薬指部（４０Ａ）および第２小指部（５０Ａ）を含み、
前記第１手袋（１Ｂ）の前記第１小指部（５０Ｂ）の第１手掌部側に位置し、前記第１手掌部（３Ｂ）の他の部分あるいは前記第２手袋（１Ａ）の対応する部分よりも薄肉とされた小指部薄肉部と、前記第２手袋（１Ａ）の前記第２人差指部（２０Ａ）の第２手甲部側に位置し、前記第２手甲部（２Ａ）の他の部分あるいは前記第１手袋（１Ｂ）の対応する部分よりも薄肉とされた人差指部薄肉部との少なくとも一方を備えた、ゴルフ用手袋。
【請求項３】
装着者の利き手を受け入れ可能な第１手袋（１Ｂ）と、
装着者の他方の手を受け入れ可能な第２手袋（１Ａ）との双方を備え、
前記第１手袋（１Ｂ）と前記第２手袋（１Ａ）とが非対称とされ、
前記第１手袋（１Ｂ）は、前記利き手の掌に当接する第１手掌部（３Ｂ）と、前記利き手の甲に当接する第１手甲部（２Ｂ）と、前記第１手掌部（３Ｂ）と前記第１手甲部（２Ｂ）とによって規定され、前記利き手の親指、人差指、中指、薬指および小指の各指をそれぞれ受け入れる第１親指部（１０Ｂ）、第１人差指部（２０Ｂ）、第１中指部（３０Ｂ）、第１薬指部（４０Ｂ）および第１小指部（５０Ｂ）を備え、前記第１手掌部（３Ｂ）は、前記利き手の中手部および手根部に当接する第１主部（ＷＢ）を含み、
前記第２手袋（１Ａ）は、前記他方の手の掌に当接する第２手掌部（３Ａ）と、前記他方の手の甲に当接する第２手甲部と、前記第２手掌部（３Ａ）と前記第２手甲部とによって規定され、前記他方の手の親指、人差指、中指、薬指および小指の各指をそれぞれ受け入れる第２親指部（１０Ａ）、第２人差指部（２０Ａ）、第２中指部（３０Ａ）、第２薬指部（４０Ａ）および第２小指部（５０Ａ）とを備え、前記第２手掌部（３Ａ）は、前記他方の手の中手部および手根部に当接する第２主部（ＷＡ）を含み、
前記第１小指部（５０Ｂ）の前記第１手掌部（３Ｂ）側に位置し、前記第１手掌部（３Ｂ）の他の部分あるいは前記第２手袋（１Ａ）の対応する部分よりも薄肉とされた小指部薄肉部と、前記第２手袋（１Ａ）の前記第２人差指部（２０Ａ）の第２手甲部側に位置し前記第２手甲部（２Ａ）の他の部分あるいは前記第１手袋（１Ｂ）の対応する部分よりも薄肉とされた人差指部薄肉部との少なくとも一方と、
前記第１主部（ＷＢ）の少なくとも一部に形成され、前記第２主部（ＷＡ）の対応する部分よりも薄肉に形成された主部薄肉部とを備えた、ゴルフ用手袋。
【請求項４】
装着者の利き手を受け入れ可能な第１手袋（１Ｂ）と、
装着者の他方の手を受け入れ可能な第２手袋（１Ａ）との双方を備え、
前記第１手袋（１Ｂ）と前記第２手袋（１Ａ）とが非対称とされ、
前記第１手袋（１Ｂ）は、前記利き手の掌に当接する第１手掌部（３Ｂ）と、前記利き手の甲に当接する第１手甲部（２Ｂ）と、前記第１手掌部（３Ｂ）と前記第１手甲部（２Ｂ）とによって規定され、前記利き手の親指、人差指、中指、薬指および小指の各指をそれぞれ受け入れる第１親指部（１０Ｂ）、第１人差指部（２０Ｂ）、第１中指部（３０Ｂ）、第１薬指部（４０Ｂ）および第１小指部（５０Ｂ）を備え、
前記第１手掌部（３Ｂ）は、前記第１手袋（１Ｂ）内に挿入された前記利き手のうち、人差指、中指、薬指および小指の中手骨の膨出部の付根部に位置する部分から前記第１人差指部（２０Ｂ）、第１中指部（３０Ｂ）、第１薬指部（４０Ｂ）および第１小指部（５０Ｂ）の先端部に亘って延びる第１薄肉領域（ＲＢ１）と、
親指の指節間関節に位置する部分から前記第１親指部の先端部に亘って延びる第２薄肉領域（ＲＢ２）とを含む、ゴルフ用手袋。
【請求項５】
前記手掌部薄肉部は、前記第２手掌部（３Ａ）の対応する部分より、０．０８ｍｍ以上薄くされた、請求項１に記載のゴルフ用手袋。
【請求項６】
前記小指部薄肉部は、前記第１手掌部（３Ｂ）の他の部分あるいは前記第２手掌部（３Ａ）の対応する部分より０．０８ｍｍ以上薄くされた、請求項２または請求項３に記載のゴルフ用手袋。
【請求項７】
前記人差指部薄肉部は、前記第１手甲部（２Ｂ）の対応する部分あるいは前記第２手甲部の他の部分より０．０８ｍｍ以上薄くされた、請求項２または請求項３に記載のゴルフ用手袋。
【請求項８】
前記主部薄肉部は、前記第２主部（ＷＡ）の対応する部分よりも、０．０８ｍｍ以上薄くされた、請求項３に記載のゴルフ用手袋。
【請求項９】
装着者の利き手を受け入れ可能な第１手袋（１Ｂ）と、
装着者の他方の手を受け入れ可能な第２手袋（１Ａ）との双方を備え、
前記第１手袋（１Ｂ）と前記第２手袋（１Ａ）とが非対称とされ、
前記第１手袋（１Ｂ）は、前記利き手の掌に当接する第１手掌部（３Ｂ）と、前記利き手の甲に当接する第１手甲部（２Ｂ）と、前記第１手掌部（３Ｂ）のうち、前記利き手と当接する内表面に形成された第１滑り止部（８０１Ｂ）とを含み、
前記第２手袋（１Ａ）は、前記他方の手の掌に当接する第２手掌部（３Ａ）と、前記他方の手の甲に当接する第２手甲部と、前記第２手掌部（３Ａ）のうち、前記他方の手と当接する内表面に形成された第２滑り止部（８０１Ａ）とを含む、ゴルフ用手袋。
【請求項１０】
前記第１手袋（１Ｂ）は、前記利き手の各指をそれぞれ受け入れ可能な第１指部と、前記利き手の手首が挿入される第１手首挿入部（９００Ｂ）を含み、
前記第２手袋（１Ａ）は、前記他方の手の各指のそれぞれを受け入れ可能な第２指部と、前記他方の手の手首が挿入される第２手首挿入部（９００Ａ）を含み、
前記第１滑り止部（８０１Ｂ）は、前記第１手掌部の先端部から前記第１指部の付根部にまで連続的または断続的に延び、前記第２滑り止部（８０１Ａ）は、前記第２手掌部の先端部側から前記第２手首挿入部（９００Ａ）側にまで連続的または断続的に延びる、請求項９に記載のゴルフ用手袋。
【請求項１１】
前記第１指部は、前記利き手の親指、人差指、中指、薬指および小指の各指をそれぞれ受け入れる第１親指部（１０Ｂ）、第１人差指部（２０Ｂ）、第１中指部（３０Ｂ）、第１薬指部（４０Ｂ）および第１小指部（５０Ｂ）を含み、
前記第２指部は、前記他方の手の親指、人差指、中指、薬指および小指の各指をそれぞれ受け入れる第２親指部（１０Ａ）、第２人差指部（２０Ａ）、第２中指部（３０Ａ）、第２薬指部（４０Ａ）および第２小指部（５０Ａ）を含み、
前記第１滑り止部（８０１Ｂ）は、前記第１親指部（１０Ｂ）、前記第１人差指部（２０Ｂ）、前記第１中指部（３０Ｂ）、前記第１薬指部（４０Ｂ）に形成され、
前記第２滑り止部（８０１Ａ）は、前記第２親指部（１０Ａ）、前記第２中指部（３０Ａ）、前記第２薬指部（４０Ａ）および前記第２小指部（５０Ａ）に形成された、請求項１０に記載のゴルフ用手袋。
【請求項１２】
前記第１滑り止部（８０１Ｂ）のうち、前記第１親指部（１０Ｂ）に形成された部分の面積は、前記第２滑り止部（８０１Ａ）のうち、前記第２親指部（１０Ａ）に形成された部分の面積よりも大きい、請求項１１に記載のゴルフ用手袋。
【請求項１３】
前記第１滑り止部（８０１Ｂ）のうち、前記第１親指部（１０Ｂ）に形成された部分は、前記第１親指部（１０Ｂ）の前記利き手と当接する内表面のうち、前記第１人差指部（２０Ｂ）側の側面に対して反対側に位置する側面より、前記第１人差指部（２０Ｂ）側の側面に近接する、請求項１１または請求項１２に記載のゴルフ用手袋。
【発明の詳細な説明】
【技術分野】
【０００１】
本発明は、ゴルフ用手袋に関し、特に、ゴルファーが装着するゴルフ用手袋に関する。
【背景技術】
【０００２】
従来、ゴルフ用手袋は、プレーヤーの利き手と反対側の手にのみ装着され、利き手には装着しないのが一般的である。日焼け止めの目的や年配者の中には両手に手袋をするという場合があるが、例外的なケースであり、このような場合に装着される手袋は、左右対称に作られているのが一般的である。
【０００３】
従来のゴルフ用手袋として、たとえば、特許第３６６７０６６号公報に記載されたゴルフ用手袋がある。このゴルフ用手袋においては、手の甲側を覆う手甲部と、掌側を覆う掌部とを同質の素材で構成し、手甲部の少なくとも一部を掌部よりも伸び率の高い伸長部とし、あるいは、手甲部の一部を掌部より薄くしてこれを伸長部としたものである。これにより、素材の相違による違和感を生じさせることなく、十分な耐久性及び保形性を確保し、手甲部のツッパリ感の低減が図られている。
【０００４】
特開２００１−１０４５３４号公報に記載されたスポーツ用手袋においては、スイング時に圧力のかかる指袋の手掌側部分の厚みを手甲側部分の厚みより厚くしている。これにより、握る力を大きくすることができ、グリップ性の向上が図られている。
【０００５】
特開平１１−２６７２６３号公報に記載されたゴルフ手袋は、中指、薬指、小指の指袋部の掌側を他の指の指袋部より薄くしている。これにより、グリップ時のフィット感の向上が図られている。
【特許文献１】特許第３６６７０６６号公報
【特許文献２】特開２００１−１０４５３４号公報
【特許文献３】特開平１１−２６７２６３号公報
【発明の開示】
【発明が解決しようとする課題】
【０００６】
しかし、上記ゴルフ用手袋やスポーツ用手袋においては、いずれも、両手に手袋を装着することを前提としておらず、一方の手にのみに装着することを前提としている。仮に、両手に手袋を装着する場合であっても、左右の手には互いに対称な手袋を装着するのが一般的である。
【０００７】
特に、ゴルフにおいては、プレーヤーは、グリップ部を把持した際の感触や打球時における感触を重要視しており、利き手には手袋を装着しないことが一般的である。さらに、上記先行文献のいずれにも、ゴルフ用手袋として、両手に装着することについては、何等記載も示唆もされていない。すなわち、上記従来のゴルフ用手袋やスポーツ手袋は、利き手において、ゴルフクラブのグリップ部に対するフィット感の向上や、グリップ部を握ったときの違和感の軽減を図ったものではない。
【０００８】
その一方で、近年ゴルフクラブの長さが長くなってきており、今までに比べてスイング時の遠心力が増え、グリップ部ですべりが発生しやすく、グリップ部を支える握力がより多く必要になってきている。また、ゴルフクラブヘッドの体積も大きくなり、シャフト軸回りの慣性モーメントも大きくなってきているために、インパクト時にヘッドを返しにくくなってきている。
【０００９】
これらの問題を解消する為に、右手にも手袋をするという方法が考えられるが、従来片手しか手袋をしていなかったプレーヤーが、両手共に手袋をすると、掌の生地分グリップが太く感じたり、ごわつきの原因になったりしてフィット感が悪くなり違和感、ごわつき感を感じることがほとんどであった。
【００１０】
また、ゴルフのグリップは他のスポーツとは異なり、一般的にオーバーラッピンググリップやインターロッキンググリップと言われるように、グリップ時に利き手（右利きの人の右手）の小指を利き手でない方の手（右利きの人の左手）の人差し指の上に重ねたり、指きりげんまをするように絡めたりするのが一般的であり、ほとんどのゴルファーがどちらかの方法を選択している。
【００１１】
その時も同様、重なり合う部分、特に利き手側の小指は通常手袋がないため、両手に手袋をして上記グリップをすると、重なり合う部分に違和感、ごわつき感を感じることが多い。さらに、上記従来のゴルフ用手袋を装着して打球する際において、汗や雨等によって、プレーヤーの手とゴルフ用手袋の内表面との間で滑りやずれが生じるという問題があった。
【００１２】
本発明は、上記のような課題に鑑みてなされたものであって、その第１の目的は、ゴルフプレーヤーが、両手にゴルフ用手袋を装着してプレーする際に感じる違和感を抑制し、さらに、ヘッドスピードの増大やヘッドを返せることによる方向性の向上が図られたゴルフ用手袋を提供することである。本発明の第２の目的は、ゴルフプレーヤーが、両手にゴルフ用手袋を装着して打球する際に、汗や雨等によってプレーヤーの手とゴルフ用手袋との間で滑りやずれ等が生じることが抑制されたゴルフ用手袋を提供することである。
【課題を解決するための手段】
【００１４】
本発明にゴルフ用手袋は、１つの局面では、装着者の利き手を受け入れ可能な第１手袋と、装着者の他方の手を受け入れ可能な第２手袋との双方を備え、第１手袋と第２手袋とが非対称とされる。上記第１手袋は、利き手の掌に当接する第１手掌部と、利き手の甲に当接する第１手甲部とを含み、第２手袋は、他方の手の掌に当接する第２手掌部と、他方の手の甲に当接する第２手甲部とを含む。そして、上記第１手掌部の少なくとも一部は、第２手掌部の対応する部分より薄くされた手掌部薄肉部を有する。
【００１５】
本発明にゴルフ用手袋は、他の局面では、装着者の利き手を受け入れ可能な第１手袋と、装着者の他方の手を受け入れ可能な第２手袋との双方を備え、第１手袋と第２手袋とが非対称とされる。上記第１手袋は、利き手の掌に当接する第１手掌部と、利き手の甲に当接する第１手甲部と、第１手掌部および第１手甲部によって規定され、利き手の親指、人差指、中指、薬指および小指の各指をそれぞれ受け入れる第１親指部、第１人差指部、第１中指部、第１薬指部および第１小指部を含み、第２手袋は、他方の手の掌に当接する第２手掌部と、他方の手の甲に当接する第２手甲部と、第２手掌部および第２手甲部よって規定され、他方の手の親指、人差指、中指、薬指および小指の各指をそれぞれ受け入れる第２親指部、第２人差指部、第２中指部、第２薬指部および第２小指部を含む。そして、上記第１手袋の第１小指部の第１手掌部側に位置し、第１手掌部の他の部分あるいは第２手袋の対応する部分よりも薄肉とされた小指部薄肉部と、第２手袋の第２人差指部の第２手甲部側に位置し、第２手甲部の他の部分あるいは第１手袋の対応する部分よりも薄肉とされた人差指部薄肉部との少なくとも一方を備える。
【００１６】
本発明にゴルフ用手袋は、他の局面では、装着者の利き手を受け入れ可能な第１手袋と、装着者の他方の手を受け入れ可能な第２手袋との双方を備え、第１手袋と第２手袋とが非対称とされる。上記第１手袋は、利き手の掌に当接する第１手掌部と、利き手の甲に当接する第１手甲部と、第１手掌部と第１手甲部とによって規定され、利き手の親指、人差指、中指、薬指および小指の各指をそれぞれ受け入れる第１親指部、第１人差指部、第１中指部、第１薬指部および第１小指部を備える。そして、上記第１手掌部は、利き手の中手部および手根部に当接する第１主部を含む。さらに、上記第２手袋は、他方の手の掌に当接する第２手掌部と、他方の手の甲に当接する第２手甲部と、第２手掌部と第２手甲部とによって規定され、他方の手の親指、人差指、中指、薬指および小指の各指をそれぞれ受け入れる第２親指部、第２人差指部、第２中指部、第２薬指部および第２小指部とを備える。そして、上記第２手掌部は、他方の手の中手部および手根部に当接する第２主部を含む。そして、上記第１小指部の第１手掌部側に位置し、第１手掌部の他の部分あるいは第２手袋の対応する部分よりも薄肉とされた小指部薄肉部と、第２手袋の第２人差指部の第２手甲部側に位置し、第２手甲部の他の部分あるいは第１手袋の対応する部分よりも薄肉とされた人差指部薄肉部との少なくとも一方と、第１主部の少なくとも一部に形成され、第２主部の対応する部分よりも薄肉に形成された主部薄肉部とを備える。
【００１７】
本発明にゴルフ用手袋は、他の局面では、装着者の利き手を受け入れ可能な第１手袋と、装着者の他方の手を受け入れ可能な第２手袋との双方を備え、第１手袋と第２手袋とが非対称とされる。上記第１手袋は、利き手の掌に当接する第１手掌部と、利き手の甲に当接する第１手甲部と、第１手掌部と第１手甲部とによって規定され、利き手の親指、人差指、中指、薬指および小指の各指をそれぞれ受け入れる第１親指部、第１人差指部、第１中指部、第１薬指部および第１小指部を備える。上記第１手掌部は、第１手袋内に挿入された利き手のうち、人差指、中指、薬指および小指の中手骨の膨出部の付根部に位置する部分から第１人差指部、第１中指部、第１薬指部および第１小指部の先端部に亘って延びる第１薄肉領域と、親指の指節間関節に位置する部分から親指部の先端部に亘って延びる第２薄肉領域とを含む。好ましくは、上記手掌部薄肉部は、第２手掌部の対応する部分より、０．０８ｍｍ以上薄くされる。好ましくは、上記小指部薄肉部は、第１手掌部の他の部分あるいは第２手掌部の対応する部分より０．０８ｍｍ以上薄くされる。好ましくは、上記人差指部薄肉部は、第１手甲部の対応する部分あるいは第２手甲部の他の部分より０．０８ｍｍ以上薄くされる。好ましくは、上記主部薄肉部は、第２主部の対応する部分よりも、０．０８ｍｍ以上薄くされる。本発明にゴルフ用手袋は、他の局面では、装着者の利き手を受け入れ可能な第１手袋と、装着者の他方の手を受け入れ可能な第２手袋との双方を備え、第１手袋と第２手袋とが非対称とされる。上記第１手袋は、利き手の掌に当接する第１手掌部と、利き手の甲に当接する第１手甲部と、第１手掌部のうち、利き手と当接する内表面に形成された第１滑り止部とを含む。そして、上記第２手袋は、他方の手の掌に当接する第２手掌部と、他方の手の甲に当接する第２手甲部と、第２手掌部のうち、他方の手と当接する内表面に形成された第２滑り止部とを含む。
【００１８】
好ましくは、上記第１手袋は、利き手の各指をそれぞれ受け入れ可能な第１指部と、利き手の手首が挿入される第１手首挿入部を含み、上記第２手袋は、他方の手の各指のそれぞれを受け入れ可能な第２指部と、他方の手の手首が挿入される第２手首挿入部を含む。そして、上記第１滑り止部は、第１手掌部の先端部から第１指部の付根部にまで連続的または断続的に延び、第２滑り止部は、第２手掌部の先端部側から第２手首挿入部側にまで連続的または断続的に延びる。好ましくは、上記第１指部は、利き手の親指、人差指、中指、薬指および小指の各指をそれぞれ受け入れる第１親指部、第１人差指部、第１中指部、第１薬指部および第１小指部を含み、第２指部は、他方の手の親指、人差指、中指、薬指および小指の各指をそれぞれ受け入れる第２親指部、第２人差指部、第２中指部、第２薬指部および第２小指部を含む。そして、上記第１滑り止部は、第１親指部、第１人差指部、第１中指部、第１薬指部に形成され、第２滑り止部は、第２親指部、第２中指部、第２薬指部および第２小指部に形成される。好ましくは、上記第１滑り止部のうち、第１親指部に形成された部分の面積は、第２滑り止部のうち、第２親指部に形成された部分の面積よりも大きくされる。好ましくは、上記第１滑り止部のうち、第１親指部に形成された部分は、第１親指部の利き手と当接する内表面のうち、第１人差指部側の側面に対して反対側に位置する側面より、第１人差指部側の側面に近接する。
【発明の効果】
【００１９】
本発明に係るゴルフ用手袋によれば、プレーヤーに与える違和感を抑制することができ、さらに、ヘッドスピードの増大やヘッドを返せることによる方向性の向上を図ることができる。また、打球する際において、プレーヤーの手とゴルフ用手袋の内表面との間で滑りやずれが生じることを抑制することができる。
【発明を実施するための最良の形態】
【００２０】
本発明の実施の形態１，２に係るゴルフ用手袋について、図１から図２２を用いて説明する。
【００２１】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。さらに、各実施の形態の構成を適宜組み合わせることは、当初から予定されている。そして、本実施の形態に係るゴルフ用手袋は、右手が利き腕のプレーヤーが装着することを前提としている。なお、左手が利き手のゴルフ用手袋の場合は、右手が利き手用手袋の左右対称とすればよい。
【００２２】
（実施の形態１）
図１は、本発明の１つの実施の形態１に係るゴルフ用手袋のうち、左手用手袋１Ａを手の甲側から見た状態を示す図であり、図２は、左手用手袋１Ａを手掌側から見た状態を示す図である。さらに、図３は、右手用手袋１Ｂを手の甲側から見た状態を示すであり、図４は、右手用手袋１Ｂを手掌側から見た図である。
【００２３】
この図１から図４に示すように、本実施の形態１に係るゴルフ用手袋は、左手用手袋１Ａと右手用手袋１Ｂとを備えている。
【００２４】
そして、左手用手袋１Ａおよび右手用手袋１Ｂのいずれも、装着者の手の甲に当接する手甲部２Ａ，２Ｂと、装着者の掌に当接する手掌部３Ａ，３Ｂとを備えている。ここで、「掌」とは手首から先の内側の面（指を含む）を意味し、「手の甲」とは掌の反対側を意味する。ここで、非対称とは、左手用手袋１Ａの少なくとも一部が、右手用手袋１Ｂの対応する部分に対して厚みが異なったり、材質が異なったり、さらには、形状が異なる各場合のいずれも含む。
【００２５】
そして、各左手用手袋１Ａおよび右手用手袋１Ｂのいずれにも、装着者の親指、人差指、中指、薬指および小指をそれぞれ受け入れる親指部１０Ａ，１０Ｂ、人差指部２０Ａ，２０Ｂ、中指部３０Ａ，３０Ｂ、薬指部４０Ａ，４０Ｂおよび小指部５０Ａ，５０Ｂがそれぞれ形成されている。
【００２６】
手甲部２Ａ，２Ｂは、いずれも、合成皮革または天然皮革のいずれであってもよく、好ましくは、天然皮革よりも通気性のよい合成皮革によって形成する。合成皮革とは、一般に織物ベースに各種樹脂層を塗布したものであり、延びやすい性質を有する。
【００２７】
手掌部３Ａ，３Ｂは、いずれも人工皮革から形成されている。人工皮革とは不織布ベースにウレタン樹脂を含浸させたもので、その樹脂がミクロポーラス層をなしているため通気性があるのが特徴である。
【００２８】
手甲部２Ａ，２Ｂおよび手掌部３Ａには、一般的に、０．４ｍｍ以上０．７ｍｍ以下の材料が使用されている。０．４ｍｍより薄く形成すると、磨耗しやすく、磨耗性を確保しがたくなり、耐久性を確保し難くなる。さらに、０．７ｍｍより厚くされると、装着者の手にフィットし難くなり、ごわつくと共に、装着者に違和感を与えることとなるためである。
【００２９】
ここで、本実施の形態１においては、右手用手袋１Ｂの手掌部３Ｂは、左手用手袋１Ａの手掌部３Ａの厚みよりも、薄く形成されており、たとえば、０．０８ｍｍ以上薄く形成されている。
【００３０】
【表１】
0004867057.tif 000002
【００３１】
表１は、生地として同じ人工皮革（白）の厚み０．６０ｍｍ、０．５２ｍｍ、０．４０ｍｍの厚みの差が右手掌で分かるか否かの体感表である。なお、８名のモニター（装着者）は、２０歳台〜５０歳台の一般男性ゴルファーである。厚みの測定方法としては、ミツトヨ社の厚み測定器やピーコック社の厚み測定器を用いた。
【００３２】
なお、表１の最上段において、「0.60&0.52」とは、０．６０ｍｍの人工皮革と０．５２ｍｍの人工皮革を体感比較した結果である。「0.52&0.40」とは、０．５２ｍｍの人工皮革と、０．４０ｍｍの人工皮革とを体感比較した場合を示す。同様に、「0.60&0.40」とは、０．６０ｍｍの人工皮革と、０．４０ｍｍの人工皮革とを体感比較とした場合を意味する。なお、◎は、はっきりと厚みに差があることが分かったことを示し、○は、厚みに差があることが分かったことを示し、さらに、△は、何となく厚みに差があることが分かったことを示す。なお、表１中に記載はないが、厚みに差が分からない場合には、×としてモニタリングした。
【００３３】
この表１に示すように、厚みの差が０．０８ｍｍ以上であれば、殆どのモニターは、厚みに違いがあることを判別することができたことが分かる。さらに、厚みの差が１．２ｍｍであれば、差は顕著となる。また、厚みの差が、０．２ｍｍにもなると、全てのモニターの方が厚みの違いを判別することができたことが分かる。
【００３４】
すなわち、左手用手袋１Ａの手掌部３Ａと右手用手袋１Ｂの手掌部３Ｂとの厚みの差を、０．０８ｍｍ以上、好ましくは、１．０ｍｍ程度（さらに、好ましくは、１．２ｍｍ）にまでつけることにより、グリップ時にプレーヤーの利き手に違和感を感じさせることを抑制することができることが分かる。ここで、上記のように、厚みの差を、好ましくは、１．０ｍｍ〜１．２ｍｍ程度としたのは、実際の製造過程において、厚みのばらつきとして、一般的に、基準値に対し±０．０４ｍｍ程度生じることを考慮したものであり、厚みについて製造上のばらつきが生じたとしても、各手掌部３Ａ，３Ｂの厚みの差を確保できるようにするためである。
【００３５】
このため、利き手が右手のプレーヤーが、右手用手袋１Ｂを装着して、ゴルフクラブのグリップ部を把持した際に、直接素手でグリップ部を握ったときの感触に近似した感触を得ることができ、右手用手袋１Ｂを装着することによる違和感を低減することができる。
【００３６】
その一方で、利き手である右手にも手袋を装着することで、ゴルフクラブのグリップ部との間に生じる摩擦を高めることができ、ゴルフクラブのグリップ部が手の中で滑り、回転することを抑制することができる。このように、利き手である右手にも手袋を装着することで、長いゴルフクラブに生じる遠心力によっても、グリップ部が滑ることを抑制することができ、さらに、ヘッドの大きいゴルフクラブにおいても、ヘッドスピードの増大を図ることができる。さらに、ヘッドを確実に返すことができ、打球の方向性の向上という効果を得ることができる。
【００３７】
【表２】
0004867057.tif 000003
【００３８】
【表３】
0004867057.tif 000004
【００３９】
【表４】
0004867057.tif 000005
【００４０】
上記表２は、１２人のモニター（装着者：２０歳台〜５０歳台の一般男性ゴルファー）が、左手のみにゴルフ用手袋を装着して打球した場合の初速と、両手にゴルフ用手袋を装着して打球した時のボールの初速とを比較した表である。また、表３は、１２人のモニター（装着者：２０歳台〜５０歳台の一般男性ゴルファー）が、左手のみにゴルフ用手袋を装着して打球した場合と両手にゴルフ用手袋を装着して打球した時のゴルフクラブのヘッドスピードの変化を示した表であり、表４は、１２人のモニター（装着者：２０歳台〜５０歳台の一般男性ゴルファー）が、左手のみにゴルフ用手袋を装着して打球した場合と両手にゴルフ用手袋を装着して打球した時の反発比（ボール初速ＶＢ／ヘッドスピードＶＨ）の変化を示した表である。なお、この表２〜表４に用いられたゴルフ用手袋は、右手用手袋および左手用手袋を形成する皮革の厚みは同じものとされている。
【００４１】
そして、この表２に示すように、両手にゴルフ用手袋を装着した方が、打球の初速が速くなることが分かる。また、表３に示すように、両手にゴルフ用手袋を装着した方が、ヘッドスピードの向上を図ることができることが分かる。そして、表４に示すように、両手にゴルフ用手袋を装着した方が、反発比が向上することが分かる。
【００４２】
ここで、図１および図２に示すように、装着者の左手親指を受け入れる親指部１０Ａは、手甲部２Ａと手掌部３Ａとによって規定されている。
【００４３】
装着者の左手人差指を受け入れる人差指部２０Ａは、手甲部２Ａおよび手掌部３Ａとは別体とされ、手甲部２Ａの他の部分よりも薄肉とされた人差指部背面部３２０Ａと、手掌部３Ａおよび手甲部２Ａとが縫着されることで規定されている。
【００４４】
この人差指部背面部３２０Ａは、装着者の左人差指の甲および少なくとも中指側の側面を覆うように設けられており、人差指部２０Ａの手甲側の付根部から人差指部２０Ａの先端部にまでに亘って延びている。
【００４５】
この人差指部背面部３２０Ａは、合成皮革によって形成されている。そして、人差指部背面部３２０Ａは、右手用手袋１Ｂのうち、人差指部背面部３２０Ａに対応する人差指部２０Ｂの手甲部２Ｂ側の表面よりも０．０８ｍｍ以上薄く形成されている。なお、人差指部背面部３２０Ａは、手甲部２Ａの他の部分よりも、０．０８ｍｍ以上薄く形成されている。
【００４６】
装着者の左手中指を受け入れる中指部３０Ａは、手甲部２Ａと手掌部３Ａと、中指部３０Ａの側面を規定するマチ材４Ａ，５Ａとを縫着することによって規定されている。
【００４７】
装着者の左手薬指を受け入れる薬指部４０Ａは、手甲部２Ａと手掌部３Ａと、薬指部４０Ａの側面を規定するマチ材５Ａ，６Ａとを縫着することで規定されている。
【００４８】
装着者の左手小指を受け入れる小指部５０Ａは、手甲部２Ａと手掌部３Ａと、小指部５０Ａの側面を規定するマチ材６Ａとを縫着することで規定されている。
【００４９】
そして、図３および図４において、装着者の右手親指を受け入れる親指部１０Ｂは、手甲部２Ｂと手掌部３Ｂとに縫着することによって規定されている。
【００５０】
装着者の右手人差指を受け入れる人差指部２０Ｂは、手甲部２Ｂと手掌部３Ｂと、人差指部２０Ｂの側面を規定するマチ材４Ｂとを縫着することによって規定されている。
【００５１】
装着者の右手中指を受け入れる中指部３０Ｂは、手甲部２Ｂと、手掌部３Ｂと、中指部３０Ｂの両側面を規定するマチ材４Ｂ，５Ｂとを縫着することによって規定されている。
【００５２】
装着者の右手薬指を受け入れる薬指部４０Ｂは、手甲部２Ｂと、手掌部３Ｂと、中指部３０Ｂの両側面を規定するマチ材５Ｂ，６Ｂとを縫着することによって規定されている。
【００５３】
装着者の右手小指を受け入れる小指部５０Ｂは、小指部当接部２５０Ｂと、手甲部２Ｂとを縫着することによって規定されている。
【００５４】
小指部当接部２５０Ｂは、たとえば、人工皮革によって構成されている。この小指当接部２５０Ｂは、左手用手袋１Ａと対応する小指部５０Ａの手掌部３Ａ側の表面より薄く形成されており、たとえば、０．０８ｍｍ以上薄く形成されている。この小指部当接部２５０Ｂは、小指部５０Ｂの手掌側の付根部から小指部５０Ｂの先端部まで延びており、さらに、小指部５０Ｂの両側面を覆うように設けられている。なお、この小指当接部２５０Bは、手甲部２Ｂの厚みよりも厚く形成されている。
【００５５】
上記のように構成されたゴルフ用手袋を用いて、右利きのプレーヤーがゴルフクラブのグリップ部を把持して打球する際に、グリップ時に右手の小指を左手の人差指の上に重ねたり、指きりげんまをするように絡めたりしたときに、右手用手袋１Ｂの小指部当接部２５０Ｂおよび左手用手袋１Ａの人差指部背面部３２０Ａのいずれもが薄く形成されているので、重なり部分が厚くなることが抑制されている。これにより、プレーヤーが重なり部分に違和感や、ごわつき感を感じることが抑制されている。なお、本実施の形態１においては、小指当接部２５０Ｂおよび人差指部背面部３２０Ｂのいずれもが設けられているが、少なくとも一方を設けることで、グリップ部を把持した際に、指の小指と人差指との交差部分におけるごわつきを低減することができ、プレーヤーが感じる違和感の低減を図ることができる。
【００５６】
さらに、本実施の形態１においては、手掌部３Ｂの全面を、手掌部３Ａの全面よりも薄く形成しているが、手掌部３Ｂと手掌部３Ａの厚みを同じとする一方で、人差指部背面部３２０Ａの厚み薄くするようにしてもよい。このようなゴルフ用手袋においては、少なくとも、プレーヤーがグリップ部を把持する際に、右手小指を左手人差指に絡める際に、小指と人差指との重なり部分に、ごわつき感を感じることを抑制することができる。なお、このようなゴルフ用手袋においては、人差指部背面部３２０Ａの厚みは、手甲部２Ａのうち、人差指部背面部３２０Ａ以外の部分より、０．０８ｍｍ以上薄く形成する。
【００５７】
また、同様に、手掌部３Ｂと手掌部３Ａの厚みを同じとする一方で、小指当接部２５０Ｂの厚みを手掌部３Ａの対応する部分より薄くしてもよい。このようなゴルフ用手袋においても、同様に、右手小指を左手人差指に絡める際に、小指と人差指との重なり部分に、ごわつき感を感じることを抑制することができる。なお、このようなゴルフ用手袋においては、小指当接部２５０Ｂの厚みを、手掌部３Ｂのうち小指当接部２５０Ｂ以外の部分より、０．０８ｍｍ以上薄くする。
【００５８】
このように、本実施の形態１に係るゴルフ用手袋によれば、両手に手袋を装着することで、ヘッドスピードの増大や方向性の向上などを図ることができると共に、両手に手袋を装着してプレーする際における違和感を抑制することができる。
【００５９】
そして、上記のように、右手用手袋１Ｂの手掌部３Ｂの全面を薄くする場合に限られず、特定の部位を薄くすることで、右手用手袋１Ｂの手掌部３Ｂの耐久性を持たせつつ、プレーヤーに違和感を与えることを抑制することができる。
【００６０】
ここで、図４において、好ましくは、右手用手袋１Ｂの手掌部３Ｂのうち、斜線によって示された領域ＲＢが位置する部分の厚みは、左手用手袋１Ａの対応する部分よりも薄く形成されており、たとえば、０．０８ｍｍ以上薄く形成する。なお、手掌部３Ｂのうち、領域ＲＢが位置する部分は、他の部分よりも薄く形成されており、たとえば、０．０８ｍｍ以上薄く形成されている。このように、プレーヤーの利き手が挿入される右手用手袋１Ｂの手掌部３Ｂの一部に、左手用手袋１Ｂの対応する部分より薄肉部を形成することで、プレーヤーが右手に違和感を感じることを抑制することができる。
【００６１】
そして、領域ＲＢは、境界線ＲＬ１から各人差指部２０Ｂ、中指部３０Ｂ、薬指部４０Ｂおよび小指部５０Ｂの先端部に亘って延びる薄肉領域ＲＢ１と、境界線ＲＬ２から親指部１０Ｂの先端に亘って延びる薄肉領域ＲＢ２とを備えている。
【００６２】
図５は、プレーヤーの右手の骨格を示す骨格図である。この図５において、各人差指、中指、薬指、小指においては、先端部側から末節骨１７１と、中節骨１７０と、基節骨１６９と、中手骨１６８とが配列している。末節骨１７１と中節骨１７０とは互いに第１指関節１７８を介して接続され、中節骨１７０と基節骨１６９とは指節間関節１７４を介して接続されている。基節骨１６９と中手骨１６８とは、中手指節関節１７５を介して接続されている。中手骨１６８の端部のうち、基節骨１６９側の先端部には、膨出部１８０が形成されている。
【００６３】
親指においては、先端部側から末節骨１７１と、基節骨１６９と、中手骨１６８とが順次配列している。親指においては、末節骨１７１と基節骨１６９とは、指節間関節１７４を介して接続されており、基節骨１６９と中手骨１６８とは、中手指節関節１７５を介して接続されている。
【００６４】
そして、図４に示す境界線ＲＬ１は、図５に示す各人差指と中指と薬指と小指の中手骨１６８の各膨出部１８０の付根部を通るように位置している。さらに、境界線ＲＬ２は、親指の指節間関節１７４上またはその近傍に位置してる。
【００６５】
図６は、プレーヤーの右手（利き手）の手掌側の正面図である。この図６において、生命線３１０は、親指３０１の付根部から手首側に延びる紋線であり、感情線３１２は、小指３０５の付根部より手首側に位置する部分から中指３０３の付根部に向けて延びる紋線である。さらに、頭脳線３１１は、感情線３１２と生命線３１０との間に位置する紋線である。そして、図４に示す境界線ＲＬ１は、プレーヤーが右手用手袋１Ｂを装着した際に、境界線ＲＬ１は、感情線３１２と頭脳線３１１との間に位置する。さらに、境界線ＲＬ２は、親指３０１の指節間関節１７４上に位置する紋線上またはその近傍に位置している。
【００６６】
そして、薄肉領域ＲＢ１は、上記のように位置する境界線ＲＬ１から各人差指、中指、薬指、小指の先端部にまで延び、薄肉領域ＲＢ２は、境界線ＲＬ２から親指の先端部にまで延びている。
【００６７】
当該、薄肉領域ＲＢ１および薄肉領域ＲＢ２は、プレーヤーがゴルフクラブのグリップ部を把持した際に、右手の手掌がグリップ部と当接し、面圧がかかる部分である。このため、薄肉領域ＲＢ１および薄肉領域ＲＢ２を他の部分よりも薄肉に形成することで、素手でグリップ部を把持したときと同様の感触を得ることができる。これにより、右手に右手用手袋１Ｂを装着した際においても、違和感を感じることなくゴルフをプレーすることができる。さらに、他の部分を厚肉に形成することで、右手用手袋１Ｂの手掌部３Ｂの耐久性を確保することができる。
【００６８】
上記のように、右手用手袋１Ｂにおいて、領域ＲＢが薄い場合について説明したが、これに限られない。図４および図５において、手掌部３Ｂの主部ＷＢ（図４において、二点鎖線によって示された領域）は、プレーヤーの右手のうち、親指、人差指、中指、薬指、小指の中手骨１６８が位置する中手部および豆状骨１６０、三角骨１６１、有鈎骨１６２、有頭骨１６３、月状骨１６４、舟状骨１６５、大菱形骨１６６および小菱形骨１６７が位置する手根部に当接する。すなわち、主部ＷＢは、手掌部３Ｂのうち、各親指部１０Ｂ、人差指部２０Ｂ、中指部３０Ｂ、薬指部４０Ｂおよび小指部５０Ｂの各付根部から、右手用手袋１Ｂの手首挿入口に亘って、位置している。そして、同様に、図２に示す手掌部３Ａの主部ＷＡも、プレーヤーの左手のうち、親指、人差指、中指、薬指、小指の中手骨が位置する中手部および豆状骨、三角骨、有鈎骨、有頭骨、月状骨、舟状骨、大菱形骨および小菱形骨が位置する手根部に当接する。このため、この主部ＷＡも、同様に、手掌部３Ａのうち、各親指部１０Ａ、人差指部２０Ａ、中指部３０Ａ、薬指部４０Ａおよび小指部５０Ａの各付根部から、左手用手袋１Ａの手首挿入口に亘って、位置している。そして、右手手袋１Ｂの主部ＷＢの厚みを、左手手袋１Ａの主部ＷＡの厚みよりも、０．０８ｍｍ以上薄くすると共に、上記小指当接部２５０Ｂおよび人差指部背面部３２０Ａを設けるようにしてもよい。このように、各左手用手袋１Ｂおよび右手用手袋１Ａを構成することで、右手用手袋１Ｂを装着することによる違和感の低減を図ることができる。
【００６９】
さらに、上述のように、主部ＷＢの全面を主部ＷＡの全面より薄くする場合に限られず、主部ＷＢの一部を対応する主部ＷＡの部分よりも薄くしてもよい。特に、図４に示すように、主部ＷＢのうち、各親指部１０Ｂ、人差指部２０Ｂ、中指部３０Ｂ、薬指部４０Ｂおよび小指部５０Ｂの各付根部から、境界線ＲＬ１までに亘って位置する主部薄肉部ＷＣを、手掌部３Ａの対応する部分より薄く形成するのが好ましい。この主部薄肉部ＷＣは、ゴルフクラブのグリップ部を把持した際に、グリップ部と当接する部分であり、薄くすることで、プレーヤーが素手で握ったときの感覚に近づけることができる。
【００７０】
ここで、本実施の形態１においては、上述のように、小指当接部２５０Ｂや人差指部背面部３２０Ａが設けられているが、このような小指当接部２５０Ｂや人差指部背面部３２０Ａを設けず、手掌部３Ｂの少なくとも一部を手掌部３Ａの対応する部分よりも、薄くしてもよい。この場合には、手掌部３Ｂのうち、手掌部３Ａよりも薄くした手掌部薄肉部は、手掌部３Ｂの他の部分より、０．０８ｍｍ以上薄く形成する。
【００７１】
図７は、プレーヤーの左手（利き手と反対側の手）が挿入される左手用手袋１Ａの手甲部２Ａおよび手掌部３Ａの主要部を構成する本体パーツ９０Ａを示す図である。
【００７２】
この図７に示すように、手甲部２Ａは、中指の甲側を覆う中指部背面部３３０Ａと、薬指の甲側を覆う薬指部背面部３４０Ａと、小指の甲側を覆う小指部背面部３５０Ａとを備えている。
【００７３】
そして、手掌部３Ａは、人差指の手掌側を覆う人差指部当接部２２０Ａと、中指の手掌側を覆う中指部当接部２３０Ａと、薬指の手掌側を覆う薬指部当接部２４０Ａと、小指の手掌側を覆う小指部当接部２５０Ａとを備えている。そして、図８は、人差指の手甲側および側面を覆う人差指部背面部３２０Ａの正面図である。この図８に示すように、人差指部背面部３２０Ａは、人差指の手甲側を覆う甲部３２１Ａと、人差指の中指側の側面を覆う側面部３２２Ａとを備えている。
【００７４】
この人差指部背面部３２０Ａは、手甲部２Ａのうち、中指部背面部３３０Ａと隣り合う部分に縫着されると共に、人差指部当接部２２０Ａにも縫着されることで、人差指部当接部２２０Ａと協働して、左手人差指を受け入れる人差指部２０Ａを規定する。
【００７５】
このように、図２に示す人差指部２０Ａの側面のうち、中指部３０Ａと反対側の側面には、マチ材がなく、人差指部２０Ａを右手の小指部５０Ｂに引っ掛ける際に、人差指部２０Ａと小指部５０Ｂとの間にごわつき等の違和感が生じることを抑制することができる。
【００７６】
すなわち、他の指部と同様に、人差指部２０Ａの両側面にマチ材を縫着して指部を規定した場合には、指部の１つの側面にそれぞれ２箇所の縫着部が位置することになり、小指部５０Ｂに引っ掛けた際に、ごわつき等の違和感が生じやすいが、上記のように人差指部２０Ａを構成することで、縫着箇所の低減を図ることができ、違和感の低減を図ることができる。なお、人差指部背面部３２０Ａは、人工皮革から形成されているため、延びを確保することができ、人差指を良好に屈曲させることができる。
【００７７】
図９は、中指部３０Ａの側面に縫着されるマチ材４Ａの正面図であり、図１０は、中指部３０Ａから薬指部４０Ａに亘って延びるマチ材５Ａの正面図である。さらに、図１１は、薬指部４０Ａから小指部５０Ａに亘って延びるマチ材６Ａの正面図である。
【００７８】
ここで、マチ材４Ａは、人差指部２０Ａ側から図７に示す中指部当接部２３０Ａと中指部背面部３３０Ａとに縫着される。
【００７９】
さらに、図１０において、一対のマチ材から構成されたマチ材５Ａのうち、一方のマチ材が、薬指部４０Ａ側から中指部当接部２３０Ａおよび中指部背面部３３０Ａに縫着され、マチ材４Ａ、５Ａ、中指部当接部２３０Ａおよび中指部背面部３３０Ａとによって、中指部３０Ａが規定される。さらに、薬指部４０Ａは、マチ材５Ａおよびマチ材６Ａを薬指部当接部２４０Ａおよび薬指部背面部３４０Ａに縫着することで規定されている。また、小指部５０Ａは、薬指部４０Ａ側からマチ材６Ａが小指部当接部２５０Ａと小指部背面部３５０Ａとに縫着され、さらに、他方の側面側においては、小指部当接部２５０Ａと小指部背面部３５０Ａとが縫着されることで、規定されている。
【００８０】
なお、図１２は、親指部１０Ａの展開図であり、親指部１０Ａを手掌部３Ａに縫着することで、左手用手袋１Ａの大部分が構成される。
【００８１】
図１３は、プレーヤーの右手（利き手）が挿入される右手用手袋１Ｂの手甲部２Ｂおよび手掌部３Ｂの主要部を構成する本体パーツ９０Ｂを示す図である。
【００８２】
この図１３に示すように、手甲部２Ｂは、人差指の甲側を覆う人差指部背面部３２０Ｂと、中指の甲側を覆う中指部背面部３３０Ｂと、薬指の甲側を覆う薬指部背面部３４０Ｂと、小指の甲側を覆う小指部背面部３５０Ｂとを備えている。
【００８３】
手掌部３Ｂは、人差指の手掌側を覆う人差指部当接部２２０Ｂと、中指の手掌側を覆う中指部当接部２３０Ｂと、薬指の手掌側を覆う薬指部当接部２４０Ｂとを備えている。
【００８４】
そして、図１４は、小指を覆う小指部当接部２５０Ｂの正面図であり、この小指部当接部２５０Ｂは、小指を手掌側から覆う掌部２５２Ｂと、小指の薬指側の側面を覆う側面部２５１Ｂとを備えている。
【００８５】
そして、小指部５０Ｂは、小指部当接部２５０Ｂと小指部背面部３５０Ｂと縫着することで、小指を受け入れ可能な小指部５０Ｂを規定している。
【００８６】
このように、この小指部５０Ｂにおいても、各側面に形成される縫着部を１箇所とすることで、左手用手袋１Ａの人差指部２０Ａに、右手用手袋１Ｂの小指部５０Ｂを引っ掛ける際に、人差指部２０Ａと小指部５０Ｂとの間でごわつき等の違和感が生じることを抑制することができる。
【００８７】
すなわち、小指部当接部２５０Ｂがマチ材としての側面部２５１Ｂを備えているため、小指部５０Ｂの側面に形成される縫着部の数を低減することで、違和感の低減が図られている。
【００８８】
さらに、図１５から図１７は、右手用手袋１Ｂに設けられるマチ材４Ｂ，５Ｂ，６Ｂの各正面図であり、図１５に示すマチ材１４３Ｂ（４Ｂ）と、人差指部当接部２２０Ｂと人差指部背面部３２０Ｂとが縫着されることで、人差指部２０Ｂが規定される。
【００８９】
さらに、図１５および図１６に示すマチ材１４２Ｂ（４Ｂ），１５４Ｂ（５Ｂ）と、中指部当接部２３０Ｂと中指部背面部３３０Ｂとが縫着されることで、中指部３０Ｂが規定されている。そして、図１６および図１７に示すマチ材１５３Ｂ（５Ｂ），６Ｂと、薬指部当接部２４０Ｂと薬指部背面部３４０Ｂとが縫着されることで、薬指部４０Ｂが規定されている。
【００９０】
このように、小指部５０Ｂの各側面には、縫着部がそれぞれ１箇所とされ、他の人差指部２０Ｂ、中指部３０Ｂおよび薬指部４０Ｂの各側面には、２箇所の縫着部が形成されており、小指部５０Ｂの側面に形成される縫着部の数は、他の指部よりも少ない。
【００９１】
これにより、人差指部２０Ａと小指部５０Ｂとを引っ掛ける際に、ごわつき等の違和感をプレーヤーが感じることが抑制されている。図１８は、右手用手袋１Ｂの親指部１０Ｂの展開図であり、この親指部１０Ｂを図１３に示す手掌部３Ｂに縫着することで、右手用手袋１Ｂの大部分が構成される。
【００９２】
（実施の形態２）
図１９から図２２を用いて、本実施の形態２に係るゴルフ用手袋５０１について説明する。図１９は、本実施の形態２に係るゴルフ用手袋５０１のうち、左手用手袋５０１Ａの手掌部５０３Ａにおける内表面側の展開図であり、図２０は、左手用手袋５０１Ａの親指部５１０Ａの内表面側の展開図である。さらに、図２１は、右手用手袋５０１Ｂの手掌部５０３Ｂの内表面側の展開図であり、図２２は、右手用手袋５０１Ｂの親指部５１０Ｂの内表面側の展開図である。
【００９３】
これら、図１９から図２２に示されるように、本実施の形態２に係るゴルフ用手袋５０１は、左手用手袋５０１Ａのうち、左手と当接する内表面に形成された左手用滑り止部８０１Ａと、右手用手袋５０１Ｂのうち、右手と当接する内表面に形成された右手用滑り止部８０１Ａとを備えている。
【００９４】
このため、プレーヤーが左手用手袋５０１Ａおよび右手用手袋５０１Ｂのいずれも装着して、ゴルフクラブをスイングしたり、打球したりする際に、プレーヤーの各手と、左手用手袋５０１Ａおよび右手用手袋５０１Ｂの内表面との間で滑りが生じることを抑制することができる。
【００９５】
これにより、単純にゴルフ用手袋を両手にはめるより場合よりも、更にグリップ力を向上させることができ、遠心力に対して滑りにくくすることができ、ヘッドスピード等の向上を図ることができる。さらに、大型ヘッドでも返しやすくなり、また、打点がばらついた時にもグリップ部のズレを防止でき、ロスを防げ、トータルとして飛距離をのばすことができる。
【００９６】
ここで、左手用手袋５０１Ａは、手掌部５０３Ａと、手甲部５０２Ａとを備えている。そして、この手掌部５０３Ａおよび手甲部５０２Ａによって、利き手（本実施の形態２においては、右手）と反対側の手（本実施の形態２においては、左手）の各指を受け入れ可能な親指部１０Ａと、人差指部２０Ａと、中指部３０Ａと、薬指部４０Ａと、小指部５０Ａと、手首が挿入される手首挿入部９００Ａとを備えている。なお親指部１０Ａは、図２０に示す親指部５１０Ａを手掌部５０３Ａに縫着することで規定されている。
【００９７】
そして、手掌部５０３Ａは、図５において、左手の中手骨が位置する中手部および、豆状骨と三角骨と有鈎骨と有頭骨と月状骨と舟状骨と小菱形骨とが位置する手根部とに当接する主部ＷＡを備えている。
【００９８】
さらに、手掌部５０３Ａは、人差指部当接部５２０Ａと、中指部当接部５３０Ａと、薬指部当接部５４０Ａと、小指当接部５５０Ａとを備えており、それぞれ、手甲部５０２Ａに形成された人差指部背面部と、中指部背面部と、薬指部背面部と、小指部背面部と協働して、人差指部２０Ａと中指部３０Ａと薬指部４０Ａと小指部５０Ａとを規定している。左手の手首が挿入される手首挿入部９００Ａは、手掌部５０３Ａの挿入部当接部９０１と、手甲部５０２Ａの挿入部背面部９０２Ａとによって規定されている。
【００９９】
そして、手掌部５０３Ａの表面のうち、左手と当接する内表面には、左手用滑り止部８０１Ａが形成されている。
【０１００】
この左手用滑り止部８０１Ａは、中指部当接部５３０Ａと、薬指部当接部５４０Ａと小指当接部５５０Ａとの内表面上に形成された中節骨用滑り止部７３１Ａ、７４１Ａ、７５１Ａと、基骨用滑り止部７３２Ａ、７４２Ａ、７５２Ａと、各中指部当接部５３０Ａ、薬指部当接部５４０Ａ、小指当接部５５０Ａの各付根部に亘って延びる付根部滑り止部７９０Ａと、主部ＷＡに形成された主部滑り止部７９１Ａと、親指部用滑り止部８０２Ａとを備えている。
【０１０１】
ここで、図１９および図６において、中節骨用滑り止部７３１Ａ、７４１Ａ、７５１Ａは、左手の中指、薬指、小指の中節骨１７０が位置する部分に設けられている。さらに、基骨用滑り止部７３２Ａ、７４２Ａ、７５２Ａは、左手の中指、薬指、小指の各基節骨１６９が位置する部分に設けられている。
【０１０２】
さらに、付根部滑り止部７９０Ａは、左手の中指、薬指、小指の中手骨１６８の膨出部１８０が位置する部分に設けられている。主部滑り止部７９１Ａは、付根部滑り止部７９０Ａより、手首挿入部９００Ａ側に位置する部分から、手首挿入部９００Ａ側に延びている。具体的には、主部滑り止部７９１Ａは、図５に示す薬指および小指における中手骨１６８の膨出部１８０の付根部から、中手骨１６８の手根部側端部に亘って延びている。
【０１０３】
すなわち、左手用滑り止部８０１Ａは、手掌部５０３Ａのうち、左手用手袋１Ａ内に挿入された左手の掌の人差し指の付根（図６における中手指節関節１７５）から手首の幅方向（尺骨１７２と橈骨１７３の配列方向）中央部を結ぶ仮想直線より、小指側に位置する部分と、親指部１０Ａとに形成されている。
【０１０４】
換言すると、左手用滑り止部８０１Ａは、手掌部５０３Ａのうち、左手の生命線よりも小指側に位置する部分と、親指部１０Ａのうち、図５に示す指節間関節１７４より先端部側に位置する部分とに形成されている。
【０１０５】
そして、主部滑り止部７９１Ａは、付根部滑り止部７９０側から挿入部当接部９０１Ａ側に亘って形成されている。
【０１０６】
このように、左手用滑り止部８０１Ａは、中指部当接部５３０Ａと、薬指部当接部５４０Ａと、小指当接部５５０Ａとの先端部から、挿入部当接部９０１Ａ側にまで断続的に形成されている。このように、左手用滑り止部８０１Ａが形成された部分は、プレーヤーがゴルフクラブのグリップ部を把持した際に、左手用手袋５０１Ａとグリップ部とが当接する領域であって、当該部分の内表面に左手用滑り止部８０１Ａを設けることで、左手と左手用手袋５０１Ａとの間で滑りが生じることを抑制することができる。
【０１０７】
ここで、人差指部当接部５２０Ａには、滑り止部が形成されていないため、グリップ部を把持する際には、人差指部当接部５２０Ａと、右手用手袋５０１Ｂの小指部５０Ｂとゆびきりげんまをするように絡めたりする際に、小指部５０Ｂとの重なり部分がごわつくことを抑制することができる。図２０において、親指部５１０Ａは、親指部当接部５１１Ａと、親指部背面部５１２Ａとを備えており、親指部用滑り止部８０２Ａは、親指部当接部５１１Ａの先端部側に形成されている。
【０１０８】
図２１において、右手用手袋５０１Ｂは、手掌部５０３Ｂと手甲部５０２Ｂとを備え、右手の各指を受け入れ可能な親指部１０Ｂと、人差指部人差指部２０Ｂと、中指部３０Ｂと、薬指部４０Ｂと小指部５０Ｂと、右手の手首が挿入される手首挿入部９００Ｂとを備えている。
【０１０９】
そして、手掌部５０３Ｂは、右手の中手部および主根部とに当接する主部ＷＢを備えている。さらに、手掌部５０３Ｂは、主部ＷＢに連設され、人差指部当接部５２０Ｂと、中指部当接部５３０Ｂと、薬指部当接部５４０Ｂと、小指当接部５５０Ｂとを備えており、それぞれ、手甲部５０２Ｂに形成された人差指部背面部と、中指背面部と、薬指部背面部と、小指部背面部と協働して、人差指部２０Ｂと中指部３０Ｂと薬指部４０Ｂと小指部５０Ｂとを規定する。手首挿入部９００Ｂは、手掌部５０３Ｂに設けられた挿入部当接部９０１Ｂと、手甲部５０２Ｂに形成された挿入部当接部９０１Ｂとを備えている。そして、手掌部５０３Ｂの内表面には、右手用滑り止部８０１Ｂが形成されている。
【０１１０】
右手用滑り止部８０１Ｂは、人差指部当接部５２０Ｂと、中指部当接部５３０Ｂと、薬指部当接部５４０Ｂとに形成された、末節骨用滑り止部７２０Ｂ，７３０Ｂ，７４０Ｂと、中節骨用滑り止部７２１Ｂ，７３１Ｂ，７４１Ｂと、付根部滑り止部７９０Ｂと、親指部用滑り止部８０２Ｂとを備えている。
【０１１１】
末節骨用滑り止部７２０Ｂ，７３０Ｂ，７４０Ｂは、右手の人差指と中指と薬指の末節骨が位置する部分に設けられている。さらに、中節骨用滑り止部７２１Ｂ，７３１Ｂ，７４１Ｂは、右手の人差指と中指と薬指の中節骨が位置する部分に設けられている。
【０１１２】
そして、付根部滑り止部７９０Ｂは、各人差指と中指と薬指の基節骨が位置する部分および、各人差指と中指と薬指との中手骨の膨出部が位置する部分に亘って形成されている。そして、手掌部５０３Ｂのうち、中手骨の膨出部が位置する部分より、手首挿入部９００Ｂ側に位置する部分には、右手用滑り止部８０１Ｂは形成されておらず、手掌部５０３Ａの表面が露出している。
【０１１３】
このように、右手用滑り止部８０１Ｂは、各人差指、中指、薬指の先端部から、各人差指、中指、薬指の中手骨の膨出部にまで亘って断続的に形成されている。この右手用滑り止部８０１Ｂが形成された領域は、プレーヤーがグリップ部を把持した際に、大きな面圧がかかる領域であり、このような部分に右手用滑り止部８０１Ｂを形成することで、右手と右手用手袋５０１Ｂとの間で滑りが生じることを抑制することができる。
【０１１４】
すなわち、ゴルフクラブのグリップ部を把持した際に、手掌部５０３Ｂに大きな面圧が生じる領域は、手掌部５０３Ａに大きな面圧が生じる領域よりも、各中指部人差指部２０Ｂ、中指部３０Ｂ等の先端部側に位置する。
【０１１５】
右手用滑り止部８０１Ｂは、中手骨の膨出部が位置する部分から先端部側にのみ形成されており、左手用滑り止部８０１Ａは、中手骨の膨出部が位置する部分から指の先端部側および中手骨の膨出部が位置する部分から挿入部当接部９０１Ａ側のいずれにも形成されている。
【０１１６】
このように、右手用滑り止部８０１Ｂは、手掌部５０３Ｂのうち、大きな面圧が生じる領域に形成されているため、右手と右手用手袋５０１Ｂとの間で滑りが生じることを抑制することができる。さらに、中手骨の膨出部から挿入部当接部９０１Ｂ側に位置する部分には形成されておらず、プレーヤーが右手用手袋５０１Ｂを装着した際に、右手用滑り止部８０１Ｂが形成されていることにより感じる違和感の低減を図ることができる。
【０１１７】
ここで、右手用滑り止部８０１Ｂは、小指当接部５５０Ｂの内表面にも形成されていない。この小指当接部５５０Ｂは、グリップ部を把持した際に、大きな面圧が生じる領域ではない。このため、当該領域に右手用滑り止部８０１Ｂを設けないことにより、左手用手袋５０１Ａの人差指部２０Ａに、右手用手袋５０１Ｂの小指部５０Ｂを絡める際に、プレーヤーが感じる違和感を低減することができる。
【０１１８】
図２２において、親指部５１０Ｂは、親指部当接部５１１Ｂと、親指部背面部５１２Ｂとを備えており、親指部当接部５１１Ｂの内表面に、親指部用滑り止部８０２Ｂが形成されている。
【０１１９】
ここで、プレーヤーがゴルフクラブを把持してスイング、打球する際に、親指部当接部５１１Ａに加えられる面圧よりも、親指部当接部５１１Ｂに加えられる面圧の方が小さい。これは、一般的に、プレーヤーがグリップ部を把持する際に、右手の親指は、グリップ部と右手の人差指によって挟まれるようになる。その一方で、左手の親指は、グリップ部上に置かれるため、スイング時や打球時に、左手の親指にかかる面圧は、右手の親指よりも大きくなる。
【０１２０】
このため、親指部用滑り止部８０２Ｂの面積よりも、親指部用滑り止部８０２Ａの面積が大きくなっており、左手の親指と、親指部５１０Ａとが滑ることを抑制することができると共に、右手の親指と、親指部用滑り止部８０２Ｂとの接触面積を小さくすることで、プレーヤーが感じる違和感を低減することができる。
【０１２１】
そして、プレーヤーがグリップ部を把持する際に、右手側の親指は、グリップ部と右手の人差指によって挟まれるようになるため、親指部用滑り止部８０２Ｂは、親指部１０Ｂの両側面のうち、人差指部２０側の側面側に近接した位置に形成されている。
【０１２２】
すなわち、図２２において、親指部当接部５１１Ｂと親指部背面部５１２Ｂとの折り返し部６００よりも、親指部当接部５１１Ｂの側辺部側に近接している。上記のように構成された左手用滑り止部８０１Ａおよび右手用滑り止部８０１Ｂは、ゴム系、シリコン系、ウレタン系、アクリル系樹脂等が用いられている。
【０１２３】
そして、上記のような左手用滑り止部８０１Ａ，右手用滑り止部８０１Ｂによって、グリップ力が上がり、遠心力に対して滑りにくくなり、ヘッドスピードが上がる。さらに、大型ヘッドでも返しやすくなり、また、打点がばらついた時にもグリップ内でのズレが防止できロスが防げ、トータルとして飛距離が延びる。
【０１２４】
下記表５は、滑り止めを掌側に付けた両手手袋におけるＶＢ（ボール初速）と滑り止めが形成されていない片手手袋におけるＶＢ（ボール初速）との比較データ（２０歳台〜５０歳台の一般男性ゴルファー）を示す表である。さらに、下記表６は、滑り止めを掌側に付けた両手手袋におけるＶＨ（ヘッドスピード）と滑り止めが形成されていない片手手袋におけるＶＨ（ヘッドスピード）との比較データ（２０歳台〜５０歳台の一般男性ゴルファー）を示す表である。
【０１２５】
また、下記表７は、滑り止めを掌側に付けた両手手袋における反発比と、滑り止めが形成されていない片手手袋における反発比との比較データ（２０歳台〜５０歳台の一般男性ゴルファー）を示す表である。
【０１２６】
【表５】
0004867057.tif 000006
【０１２７】
【表６】
0004867057.tif 000007
【０１２８】
【表７】
0004867057.tif 000008
【０１２９】
上記表５から表７に示されるように、滑り止めを掌側に付けた両手手袋を装着して、打球した場合の方が、滑り止めが形成されていない手袋を片手（左手）に装着した場合よりも、ボール初速、ヘッドスピードが速くなり、反発比が向上することが分かる。
【０１３０】
下記表８は、内表面に滑り止部が形成されたゴルフ用手袋（本実施の形態２に係るゴルフ用手袋）を両手に装着した場合におけるボール初速と、内表面に滑り止部が形成されていないゴルフ用手袋を両手に装着した場合におけるボール初速とを比較したデータである。
【０１３１】
【表８】
0004867057.tif 000009
【０１３２】
この表８に示されるように、左手用滑り止部８０１Ａおよび右手用滑り止部８０１Ｂを備えた本実施の形態２に係るゴルフ用手袋をはめて打球した場合の方が、ボール初速が速いことが分かる。そして、下記表９は、内表面に滑り止部が形成されたゴルフ用手袋（本実施の形態２に係るゴルフ用手袋）を両手に装着した場合におけるヘッドスピードと、内表面に滑り止部が形成されていないゴルフ用手袋を両手に装着した場合におけるヘッドスピードを比較したときのデータである。
【０１３３】
【表９】
0004867057.tif 000010
【０１３４】
上記表９に示されるように、本実施の形態に係るゴルフ用手袋を右手および左手に装着した場合の方が、ヘッドスピードが向上することが分かる。すなわち、本実施の形態２に係るゴルフ用手袋のように、左手用手袋５０１Ａおよび右手用手袋５０１Ｂの手掌部５０３Ａ，５０３Ｂ内に左手用滑り止部８０１Ａおよび右手用滑り止部８０１Ｂを形成することで、ボール初速およびヘッドスピードの向上を図ることができることが分かる。
【０１３５】
なお、本実施の形態２においては、各中節骨用滑り止部７３１Ａ、７４１Ａ、７５１Ａ、７２１Ｂ，７３１Ｂ，７４１Ｂと、付根部滑り止部７９０Ａ、７９０Ｂと、基骨用滑り止部７３２Ａ、７４２Ａ、７５２Ａと、主部ＷＡに形成された付根部滑り止部７９０Ａと、親指部用滑り止部８０２Ａ、８０２Ｂとは、それぞれ一体の樹脂部から構成されているが、これに限られない。
【０１３６】
たとえば、斑点状、小粒状の樹脂部を間隔をあけつつも、集合状態とすることで、各中節骨用滑り止部７３１Ａ、７４１Ａ、７５１Ａ、７２１Ｂ，７３１Ｂ，７４１Ｂ等を構成するようにしてもよい。このように、斑点状、小粒状の樹脂部を集合させて規定することにより、小粒状の樹脂部間の隙間から汗や雨などの水分が外部に排出され、プレーヤーの手と、ゴルフ用手袋との間で滑りが生じることを抑制することができる。
【０１３７】
特に、この斑点状、小粒状の樹脂部を平面視した際に、六角形などの多角形形状とすることで、プレーヤーの手が引掛り易くなり、手とゴルフ用手袋との間で滑りが生じることを抑制することができる。なお、本実施の形態２に係るゴルフ用手袋においても、左手用滑り止部８０１Ａおよび右手用滑り止部８０１Ｂを薄く形成して、プレーヤーに与える違和感の低減を図るのが好ましい。
【０１３８】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【０１３９】
本発明は、ゴルフ用手袋に好適である。
【図面の簡単な説明】
【０１４０】
【図１】本発明の実施の形態１に係るゴルフ用手袋のうち、左手用手袋を手の甲側から見た状態を示す図である。
【図２】左手用手袋を手掌側から見た状態を示す図である。
【図３】右手用手袋を手の甲側から見た状態を示すである。
【図４】右手用手袋を手掌側から見た図である。
【図５】プレーヤーの右手の骨格を示す骨格図である。
【図６】プレーヤーの右手の手掌側の正面図である。
【図７】左手用手袋の手甲部および手掌部の主要部を構成する本体パーツを示す図である。
【図８】人差指の手甲側および側面を覆う人差指部背面部の正面図である。
【図９】中指部の側面に縫着されるマチ材の正面図である。
【図１０】中指部から薬指部に亘って延びるマチ材の正面図である。
【図１１】薬指部から小指部に亘って延びるマチ材の正面図である。
【図１２】薬指部から小指部に亘って延びるマチ材の正面図である。
【図１３】右手用手袋の手甲部および手掌部の主要部を構成する本体パーツを示す図である。
【図１４】小指を覆う小指部当接部の正面図である。
【図１５】マチ材の正面図である。
【図１６】マチ材の正面図である。
【図１７】マチ材の正面図である。
【図１８】右手用手袋の親指部の展開図である。
【図１９】本実施の形態２に係るゴルフ用手袋のうち、左手用手袋の手掌部における内表面側の展開図である。
【図２０】左手用手袋の親指部の内表面側の展開図である。
【図２１】右手用手袋の手掌部の内表面側の展開図である。
【図２２】右手用手袋の親指部の展開図である。
【符号の説明】
【０１４１】
１Ｂ  右手用手袋、１Ａ  左手用手袋、２Ａ，２Ｂ  手甲部、３Ａ，３Ｂ  手掌部、４Ｂ，５Ｂ，６Ｂ  マチ材、１０Ａ，１０Ｂ  親指部、２０Ａ，２０Ｂ  人差指部、３０Ａ，３０Ｂ  中指部、４０Ａ，４０Ｂ  薬指部、５０Ａ，５０Ｂ  小指部、９０Ａ、９０Ｂ  本体パーツ、１６８  中手骨、１６９  基節骨、１７０  中節骨、１７１  末節骨、１７４  指節間関節、１７５  中手指節関節、１７８  指関節、１８０  膨出部、２２０Ａ，２２０Ｂ  人差指部当接部、２３０Ａ，２３０Ｂ  中指部当接部、２４０Ａ，２４０Ｂ  薬指部当接部、２５０Ａ，２５０Ｂ  小指部当接部、３１０  生命線、３１１  頭脳線、３１２  感情線、３２０Ａ，３２０Ｂ  人差指部背面部、３２１Ａ  甲部、３２２Ａ  側面部、３３０Ａ，３３０Ｂ  中指部背面部、３４０Ａ，３４０Ｂ  薬指部背面部、３５０Ａ，３５０Ｂ  小指部背面部，ＲＢ１，ＲＢ２  薄肉領域、ＲＬ１，ＲＬ２  境界線。
【図１】
0004867057.tif 000011
【図２】
0004867057.tif 000012
【図３】
0004867057.tif 000013
【図４】
0004867057.tif 000014
【図５】
0004867057.tif 000015
【図６】
0004867057.tif 000016
【図７】
0004867057.tif 000017
【図８】
0004867057.tif 000018
【図９】
0004867057.tif 000019
【図１０】
0004867057.tif 000020
【図１１】
0004867057.tif 000021
【図１２】
0004867057.tif 000022
【図１３】
0004867057.tif 000023
【図１４】
0004867057.tif 000024
【図１５】
0004867057.tif 000025
【図１６】
0004867057.tif 000026
【図１７】
0004867057.tif 000027
【図１８】
0004867057.tif 000028
【図１９】
0004867057.tif 000029
【図２０】
0004867057.tif 000030
【図２１】
0004867057.tif 000031
【図２２】
0004867057.tif 000032